(57)【要約】【課題】構造と操作が簡単なプリンタ防水機構を提供すること。【解決手段】印字ヘッド（２０）により用紙（１０）への印字が開始されると、モータ（３１）は時計回り方向へ回転し、伝達装置（１２３）の電磁クラッチ（１２４）はＯＮにされ、モータ（３１）の駆動力がラック駆動ギヤ（１２２）に伝達され、可動蓋（１２０）はバネ（１３０）の付勢力に抗して右方向に移動せしめられる。可動蓋の左端が用紙排出口（１１０）を通り過ぎた所でラック（１２１）が無くなるようにされており、最左端のラックがラック駆動ギヤの歯に係合しては外れることを繰り返しモータをロックしない。印字が終了してモータが停止すると電磁クラッチがＯＦＦにされ、可動蓋はバネの付勢力により左に移動せしめられ用紙排出口は閉じられる。【選択図】      図１
2004174837.tif 000002
【特許請求の範囲】
【請求項１】
プリンタの用紙排出口から水が内部に進入するのを防止するプリンタ防水構造であって、
可動蓋と、可動蓋を閉位置に向けて付勢する付勢手段と、可動蓋を開位置に向けて移動せしめる蓋移動手段を具備し、
蓋移動手段は、用紙搬送モータが用紙排出方向に作動するときには、用紙搬送モータの駆動力を、可動蓋が開位置に向けて移動できるように、可動蓋に伝達可能で、且つ、用紙搬送モータが停止、または、反用紙排出方向に作動するときには用紙搬送モータと可動蓋の係合を遮断し、可動蓋が付勢手段で閉位置に向けて移動できるようにする、クラッチ手段を含む、
ことを特徴とするプリンタ防水構造。
【請求項２】
可動蓋が開位置に到達し、なお用紙搬送モータが回転を続行する場合に、用紙搬送モータの回転を妨害しないように駆動力を逃がす駆動力逃がし手段を有する、ことを特徴とする請求項１に記載のプリンタ防水構造。
【請求項３】
可動蓋が、ギロチン式カッタの可動刃を兼ねている、ことを特徴とする請求項１に記載のプリンタ防水構造。
【請求項４】
用紙排出口の縁に手切り用の刃が形成されている、ことを特徴とする請求項１に記載のプリンタ防水構造。
【請求項５】
可動蓋が閉じるときに、用紙排出口の縁に突き当たって停止する、ことを特徴とする請求項１に記載のプリンタ防水構造。
【請求項６】
プリンタの用紙排出口から水が内部に進入するのを防止するプリンタ防水構造であって、
用紙排出口の一対の長辺の一方から対向する辺と反対側の斜め上方に延伸する撥水性フィルムと、
用紙排出口の一対の長辺の他方から前記撥水性フィルムへ向かって前記撥水性フィルムよりも小さな角度で斜め上方に延伸する親水性フィルムを有し、
前記親水性フィルムは、前記撥水性フィルムの中間高さ位置において用紙が通過できる幅を残して前記撥水性フィルムに接近して終焉している、
ことを特徴とするプリンタ防水構造。
【請求項７】
撥水性フィルムは用紙排出口を形成する部材に連続して設けられた傾斜面に貼着されている、ことを特徴とする請求項６に記載のプリンタ防水構造。
【請求項８】
親水性フィルムの根元の用紙排出口の一対の長辺の他方に手切りカッターの刃を設けた、ことを特徴とする請求項６に記載のプリンタ防水構造。
【請求項９】
親水性フィルムにより水を側方に導く樋が形成されている、ことを特徴とする請求項６に記載のプリンタ防水構造。
【発明の詳細な説明】
【０００１】
【発明の属する技術分野】
本発明はプリンタに関し、特にはプリンタの防水構造に関する。
【０００２】
【従来の技術】
プリンタには印刷を終了した用紙を排出する用紙排出口が必ず設けられている。携帯用プリンタは屋外でも使用されることが多く雨天時の使用に備えて、この隙間を、非使用時、すなわち印字して用紙を排出しないときには塞ぐようにしたものが多い。
【０００３】
特許文献１（特開平８−１１８７５５号公報）の装置では、用紙排出口を覆う蓋部材を設けるが、この蓋部材を軽量なフィルムで形成し、印刷された用紙が蓋部材を押し開けるようにされている。ところが、この方法は蓋の開閉を用紙で押し開けることによっておこなっているために用紙の強さ、あるいは、硬さが不十分であると用紙がジャムをおこし蓋部材が開かない可能性がある。
【０００４】
特許文献２（特開平１０−５８７５９号公報）の装置では、用紙排出口を開閉可能なヒンジカバーと、ヒンジカバーを露出させるスライドカバーを有し、スライドカバーを開くとヒンジカバーも自動的に開くようにされている。したがって、用紙排出口の開閉に使用者による、その操作をおこなうための専用の、動作が必要とされる。
【０００５】
特許文献３（特開２００１−９０１３０号公報）の装置では、ローラを移動装置で動かして用紙排出口を開閉するようにすることを開示している。この移動されるローラが本来何をするためのものであるかは、明らかにされていないが、ローラにとっては用紙排出口を開閉することのほかに用紙をガイドする機能を有しているはずである。用紙排出口を開閉するために、ローラの表面が用紙排出口のエッジ部に繰り返し接触と離反を繰り返され、ローラの表面が損傷を受ける可能性があり、損傷をうけるとローラの用紙をガイドする機能に悪影響を与える可能性がある。また、ローラは大きな部品であるので、これを移動するには、大きなエネルギを必要とし、電力消費が大きくなる可能性がある。
【０００６】
【特許文献１】
特開平８−１１８７５５号公報
【特許文献２】
特開平１０−５８７５９号公報
【特許文献３】
特開２００１−９０１３０号公報
【０００７】
【発明が解決しようとする課題】
本発明は上記問題に鑑み、作業者の特別な操作が不要で、作動が確実で、電力消費も少ない、プリンタの防水構造を提供することを目的とする。
【０００８】
【課題を解決するための手段】
請求項１の発明によれば、プリンタの用紙排出口から水が内部に進入するのを防止するプリンタ防水構造であって、
可動蓋と、可動蓋を閉位置に向けて付勢する付勢手段と、可動蓋を開位置に向けて移動せしめる蓋移動手段を具備し、
蓋移動手段は、用紙搬送モータが用紙排出方向に作動するときには、用紙搬送モータの駆動力を、可動蓋が開位置に向けて移動できるように、可動蓋に伝達可能で、且つ、用紙搬送モータが停止、または、反用紙排出方向に作動するときには用紙搬送モータと可動蓋の係合を遮断し、可動蓋が付勢手段で閉位置に向けて移動できるようにする、クラッチ手段を含む、ことを特徴とするプリンタ防水構造が提供される。
このように構成されるプリンタ防水構造では用紙搬送モータが用紙排出方向に作動するときには、この用紙搬送モータの駆動力で可動蓋が開位置に向けて移動され、用紙搬送モータが停止、または、反用紙排出方向に作動するときには可動蓋が付勢手段で閉位置に向けて移動される。
【０００９】
請求項２の発明によれば、請求項１の発明において、可動蓋が開位置に到達し、なお用紙搬送モータが回転を続行する場合に、用紙搬送モータの回転を妨害しないように駆動力を逃がす駆動力逃がし手段を有する、ことを特徴とするプリンタ防水構造が提供される。
このように構成されるプリンタ防水構造では可動蓋が開位置に到達して用紙搬送モータの回転が妨害されない。
【００１０】
請求項３の発明によれば、請求項１の発明において、可動蓋が、ギロチン式カッタの可動刃を兼ねている、ことを特徴とするプリンタ防水構造が提供される。
請求項４の発明によれば、請求項１の発明において、用紙排出口の縁に手切り用の刃が形成されている、ことを特徴とするプリンタ防水構造が提供される。
請求項５の発明によれば、請求項１の発明において、可動蓋が閉じるときに、用紙排出口の縁に突き当たって停止する、ことを特徴とするプリンタ防水構造が提供される。
【００１１】
請求項６の用紙排出口から水が内部に進入するのを防止するプリンタ防水構造であって、
用紙排出口の一対の長辺の一方から対向する辺と反対側の斜め上方に延伸する撥水性フィルムと、
用紙排出口の一対の長辺の他方から前記撥水性フィルムへ向かって前記撥水性フィルムよりも小さな角度で斜め上方に延伸する親水性フィルムを有し、
前記親水性フィルムは、前記撥水性フィルムの中間高さ位置において用紙が通過できる幅を残して前記撥水性フィルムに接近して終焉している、ことを特徴とするプリンタ防水構造が提供される。
このように構成されるプリンタ防水構造では、複雑な機構を用いることなく、撥水性のフィルムと親水性のフィルムのみで防水でき極めて簡単に実現できる。
【００１２】
請求項７の発明によれば、請求項６の発明において、撥水性フィルムは用紙排出口を形成する部材に連続して設けられた傾斜面に貼着されている、ことを特徴とするプリンタ防水構造が提供される。
請求項８の発明によれば、請求項６の発明において、親水性フィルムの根元の用紙排出口の一対の長辺の他方に手切りカッターの刃を設けた、ことを特徴とするプリンタ防水構造が提供される。
請求項９の発明によれば、請求項６の発明において、親水性フィルムにより水を側方に導く樋が形成されている、ことを特徴とするプリンタ防水構造が提供される。
【００１３】
【発明の実施の形態】
以下、添付の図面を参照して本発明の実施の形態を説明する。
第１の実施の形態について説明する。図１、２が第１の実施の形態の構造と作用を説明する図である。
参照符号１００で示されるのはプリンタの上部ケーシングである。上部ケーシング１００には用紙排出口１１０が形成されていて、用紙排出口１１０は第１の辺１１１と第２の辺１１２を有する。
【００１４】
参照符号１２０で示されているのは可動蓋であって上部ケーシング１００の下面に沿って移動できるように取り付けられている。可動蓋１２０はバネ１３０で常時図中左方に付勢され、可動蓋１２０の下面にはラック１２１が形成されている。ラック１２１にはラック駆動ギヤ１２２が噛合している。
【００１５】
一方、用紙１０に印字するための印字ヘッド２０およびプラテン３０が可動蓋１２０の下方に配設されている。プラテン３０はモータ３１により中間ギヤ３２を介して駆動される。中間ギヤ３２にはラック駆動補助ギヤ３３が噛合している。
【００１６】
ラック駆動補助ギヤ３３とラック駆動ギヤ１２２が伝達装置１２３を介して係合されている。伝達装置１２３には、モータ３１が用紙排出方向（図中時計回り方向）に回転しているときにモータ３１の駆動力をラック駆動ギヤ１２２に伝え、モータ３１が反用紙排出方向（図中反時計回り方向）に回転しているとき、または、モータ３１が停止しているときは、ラック駆動ギヤ１２２とラック駆動補助ギヤ３３の係合を解除することが要求される。
【００１７】
このような要求を満たすものとして、伝達装置１２３は、例えば、電磁クラッチを有し、電磁クラッチはモータ３１が用紙排出方向（図中時計回り方向）に回転しているときにはＯＮ（係合）にされ、モータ３１が反用紙排出方向（図中反時計回り方向）に回転しているときにはＯＦＦ（開放）にされる。
【００１８】
伝達装置１２３は、ラック駆動補助ギヤ３３と同軸に配置された第１プーリ１２３ａと、ラック駆動ギヤ１２２に同軸に配置されている第２プーリ１２３ｂとベルト１２３ｃを有している。
第１プーリ１２３ａはラック駆動補助ギヤ３３に直接固定されているが、図３に示されるように、第２プーリ１２３ｂは電磁クラッチ１２４と共にラック駆動ギヤ１２２の軸１２２ａに緩く嵌合されていて、電磁クラッチ１２４がＯＮのときのみ第２プーリ１２３ｂはラック駆動ギヤ１２２と一体にされる。
【００１９】
次に、上記のように構成された第１の実施の形態の作用を説明する。図１は、非使用状態を示し、モータ３１は停止し、可動蓋１２０は閉位置にあって、用紙排出口１１０は閉じられている。より詳細には、伝達装置１２３の電磁クラッチ１２４はＯＦＦ状態とされ、バネ１３０の付勢力により可動蓋１２０の左端１２２がストッパ１１３に当接している。なお、ストッパ１１３は用紙の通過を妨害しないように幅方向で用紙より外側に配置されている。
【００２０】
印字ヘッド２０により用紙１０への印字が開始されると、モータ３１は時計回り方向へ回転し、伝達装置１２３の電磁クラッチはＯＮにされ、モータ３１の駆動力がラック駆動ギヤ１２２に伝達される。その結果、図２に示されるように可動蓋１２０はバネ１３０の付勢力に抗して右方向に移動せしめられる。可動蓋１２０の左端１２２が用紙排出口１１０を通り過ぎた所で、ラック１２１が無くなるようにされている。その結果、最左端のラック１２１がラック駆動ギヤ１２２の歯に係合しては外れることを繰り返し、モータ３１がロックされるのを防止するとともに可動蓋１２０がそれ以上右方向に移動することが防止される。
【００２１】
以下、第１の実施の形態の幾つかの変形例について説明する。
図４に示すのは第１の実施の形態の第１の変形例の特徴を説明する図であって、この第１の変形例においては、可動蓋１２０がギロチンカッタの可動刃を兼ねるようにしたもので、可動蓋１２０の左端の上側の縁に可動刃１２５が用紙を切断可能なように加工されている。
【００２２】
図５に示すのは第１の実施の形態の第２の変形例の特徴を説明する図であって、この第２の変形例においては、上部ケーシング１００の用紙排出口１１０の第２の辺１１２の下側部分に手切り用の刃１１２ａが形成されている。
図６に示すのは第１の実施の形態の第３の変形例の特徴を説明する図であって、この第３の変形例においては、上部ケーシング１００の用紙排出口１１０の第２の辺１１２が下側に厚く形成されており、ここに、閉じ位置において可動蓋１２０の左端がこの第２の辺１１２に当接するようにされている。
【００２３】
次に第２の実施の形態について説明する。この第２の実施の形態は、第１の実施の形態とは異なり、撥水性フィルムと親水性フィルムを利用して防水をするものである。図７に示すのは本発明のプリンタ防水構造の第２の実施の形態の概要である。プリンタの上部ケーシング２００に用紙排出口２１０が形成されている。印字は用紙１０がプラテン２０とヘッド３０を通る時におこなわれ、印字が終了した用紙は用紙排出口２１０から排出される。
【００２４】
用紙排出口２１０は図の表裏方向に延伸する一対の第１辺２１１と第２辺２１２を有する。用紙排出口２１０の第１辺２１１から、斜面２１３が、第２辺とは反対の方向に、斜め上方に延伸している。斜面２１３の表面には撥水性フィルム２２０が貼着されている。
【００２５】
用紙排出口２１０の第２辺２１２には、親水性フィルム２３０が取り付けられている。親水性フィルム２３０の先端２３１は撥水性フィルム２２０の中間高さ位置において用紙がかろうじて通過できる幅を残して撥水性フィルム２２０に接近して終焉している。
親水性フィルム２３０の幅方向の端部は用紙排出口２１０よりも幅方向外側まで延長され、上部ケーシング２００の幅方向の端部まで延長されている。
さらに、親水性フィルム２３０の下端には折り返し２３２が形成され、親水性フィルム２３０は全体として樋の形状とされている。
【００２６】
第２の実施の形態は上記のように構成されており、用紙排出口２１０の上方で水滴は撥水性フィルム２２０の表面または親水性フィルム２３０の表面に落下する。親水性フィルム２３０の表面に落下した水滴は直ぐに拡散する。撥水性フィルム２２０の表面に落下した水滴は球体となって親水性フィルム２３０の方に転がり、親水性フィルム２３０の表面に達すると拡散する。
そして、親水性フィルム２３０は樋の形状をしているので幅方向外側に導かれ下方に落下する。そのために、親水性フィルム２３０は幅方向の中央部分が若干高くされている。
【００２７】
また用紙排出口２１０の第２辺２１２の親水性フィルム２３０の取り付けられているところの下側に用紙を手切りするためのカッタ２４０が取り付けられている。使用者が用紙を切断しようとするとき用紙は図中左側に曲げられ親水性フィルム２３０に当たるが親水性フィルム２３０は柔軟性を有しているで用紙と共に左側に曲がり、用紙の手切りを妨害することはない。
【００２８】
【発明の効果】
請求項１から６の発明は、プリンタの用紙排出口から水が内部に進入するのを防止するプリンタ防水構造であるが、可動蓋と、可動蓋を閉位置に向けて付勢する付勢手段と、可動蓋を開位置に向けて移動せしめる蓋移動手段を具備し、蓋移動手段は、用紙搬送モータが用紙排出方向に作動するときには、用紙搬送モータの駆動力を、可動蓋が開位置に向けて移動できるように、可動蓋に伝達可能で、且つ、用紙搬送モータが停止、または、反用紙排出方向に作動するときには用紙搬送モータと可動蓋の係合を遮断し、可動蓋が付勢手段で閉位置に向けて移動できるようにする、クラッチ手段を含む。
したがって、用紙搬送モータが用紙排出方向に作動するときには、この用紙搬送モータの駆動力で可動蓋が開位置に向けて移動され、用紙搬送モータが停止、または、反用紙排出方向に作動するときには可動蓋が付勢手段で閉位置に向けて移動され、複雑な操作が不要である。
【００２９】
請求項６から９の発明は用紙排出口から水が内部に進入するのを防止するプリンタ防水構造であるが、用紙排出口の一対の長辺の一方から対向する辺と反対側の斜め上方に延伸する撥水性フィルムと、用紙排出口の一対の長辺の他方から前記撥水性フィルムへ向かって前記撥水性フィルムよりも小さな角度で斜め上方に延伸する親水性フィルムを有し、前記親水性フィルムは、前記撥水性フィルムの中間高さ位置において用紙が通過できる幅を残して前記撥水性フィルムに接近して終焉しているものである。
このように構成されるプリンタ防水構造では、複雑な機構を用いることなく、撥水性のフィルムと親水性のフィルムのみで防水でき極めて簡単に実現できる。
【図面の簡単な説明】
【図１】第１の実施の形態の構造と作用を説明する図である。
【図２】第１の実施の形態の構造と作用を説明する図である。
【図３】電磁クラッチを説明する図である。
【図４】第１の実施の形態の第１の変形例を説明する図である。
【図５】第１の実施の形態の第２の変形例を説明する図である。
【図６】第１の実施の形態の第３の変形例を説明する図である。
【図７】第２の実施の形態の構造と作用を説明する図である。
【図８】第２の実施の形態の構造と作用を説明する図である。
【図９】第２の実施の形態の部分斜視図である。
【符号の説明】
１００…上部ケーシング
１１０…用紙排出口
１１１…第１の辺
１１２…第２の辺
１１２ａ…刃
１１３…ストッパ
１２０…可動蓋
１２１…ラック
１２２…ラック駆動ギヤ
１２３…伝達装置
１２４…電磁クラッチ
１２５…可動刃
１３０…バネ
２００…上部ケーシング
２１０…用紙排出口
２１１…第１の辺
２１２…第２の辺
２１３…傾斜面
２２０…撥水性のフィルム
２３０…親水性のフィルム
２３１…折り返し
【図１】
2004174837.tif 000003
【図２】
2004174837.tif 000004
【図３】
2004174837.tif 000005
【図４】
2004174837.tif 000006
【図５】
2004174837.tif 000007
【図６】
2004174837.tif 000008
【図７】
2004174837.tif 000009
【図８】
2004174837.tif 000010
【図９】
2004174837.tif 000011